(57)【要約】    【課題】表面模様やデザインが取り替えられるようなクリップを提供する。    【解決手段】背面板（１１）と前面板（１２）のそれぞれの端部が共通軸（１３）により開閉可能に支持され、常時、バネ（１４）により閉鎖方向に付勢されているクリップ（１）である。前記前面板（１２）が基板（１６）と、表面板（１７）と、前記基板（１６）と前記表面板（１７）を着脱自在とする手段からなる。  前記基板と前記表面板を着脱自在とする手段としては、例えば、一方の突起と、この突起に嵌合する他方の係合孔の組合せがあげられる。【選択図】図４
2008206794.tif 000002
【特許請求の範囲】
【請求項１】
背面板（１１）と前面板（１２）のそれぞれの端部が共通軸（１３）により開閉可能に支持され、常時、バネ（１４）により閉鎖方向に付勢されているクリップ（１）において、
前記前面板（１２）が基板（１６）と、表面板（１７）と、前記基板（１６）と前記表面板（１７）を着脱自在とする手段からなることを特徴とする、表面デザインが変更可能なクリップ（１）。
【請求項２】
前記基板と前記表面板を着脱自在とする手段が、一方の突起と、この突起に嵌合する他方の係合孔の組合せである請求項１記載のクリップ。
【請求項３】
突起（２１）の先端に一方向に伸びる張り出し部分（２１ａ）を設けることにより、方向性を持たせた請求項２記載のクリップ。
【請求項４】
突起（２０）の先端に矢尻状の抜け止め（２０ａ）を設けることにより、係合を確実にした請求項２記載のクリップ。
【請求項５】
前記基板（１６Ａ）と前記表面板（１７Ａ）を着脱自在とする手段が、一方の磁石（２３）と、他方の磁石反応物の組合せである請求項１記載のクリップ。
【請求項６】
前記表面板（１７Ａ）の下端部が前記基板（１６Ａ）の下端部よりも短い請求項５記載のクリップ。
【発明の詳細な説明】
【技術分野】
【０００１】
本発明は、表面デザインが変更可能なクリップに関する。本発明が対象とするクリップには用途の制限はないが、表面デザインに関係するので、特に外部から見られやすい部分や目立ちやすい部分で使用するのに適している。
【背景技術】
【０００２】
クリップはさまざまな場所で使用される。例えば、衣服関連では、サスペンダーとズボンとをつなぐのに使用したり、エプロンと吊り紐とをつないだり、名札をポケットに固定したりするのに使用されている。その他、文房具として、書類を束ねたりするのに使用されている。特許文献１はそのようなサスペンダー用クリップの一例である。
【特許文献１】特開平１０−３３１０１５号明細書
【発明の開示】
【発明が解決しようとする課題】
【０００３】
例えば、後記する実施例では、ヒップパットをパンツに取り付けるのにクリップを使用している。このような使用法では、クリップが外部に露出する場合もあるので、自分の好みに合致したデザインやファッション性の高いデザインに変更できることが好ましい。
【０００４】
本発明は、このような目的に添うもので、表面模様やデザインが取り替えられるようなクリップを提供することを目的とする。
【課題を解決するための手段】
【０００５】
本発明のクリップは、背面板と前面板のそれぞれの端部が共通軸により開閉可能に支持され、常時、バネにより閉鎖方向に付勢されているクリップにおいて、前記前面板が基板と、表面板と、前記基板と前記表面板を着脱自在とする手段からなることを特徴とする。
【発明の効果】
【０００６】
本発明のクリップは、前面板が基板と表面板からなり、しかも両者を着脱自在とする手段を有するので、古い表面板を取り外して、新しい表面板に取り替えることができる。
【発明を実施するための最良の形態】
【０００７】
前記基板と前記表面板を着脱自在とする手段としては、次のようなものがある。
（１）一方の突起と、この突起に嵌合する他方の係合孔の組合せ。
（２）一方の磁石と、他方の磁石反応物の組合せ。
【０００８】
上記（１）の場合、突起の先端に一方向に伸びる張り出し部分を設けることにより、方向性を持たせることができる。方向性を持たせることにより、クリップを使用するときに通常指の力が加えられる下側からは表面板を引き剥がすことは困難となり、不用意に表面板が外れることがなくなる。また、突起の先端に矢尻状の抜け止めを設けることにより、係合を確実にすることができる。
【０００９】
上記（２）の場合、前記表面板の下端部を前記基板の下端部よりも短くして表面板のみに力が加わらないようにすることが好ましい。このようにすることにより、クリップを使用するときに通常加えられる指の力により表面板を引き剥がすことは困難となり、不用意に表面板が外れることがなくなる。
【実施例１】
【００１０】
以下、添付の図面に基づき、本発明の実施例を説明する。
【００１１】
図１は、本発明のクリップ１でヒップパット２をパンツ３に取り付けている状態の斜視図である。この図のように、クリップ１は外部に露出する。本発明では、クリップの表面デザインを変更可能とする。
【００１２】
図２（ａ）は、クリップの正面図、（ｂ）は側面図である。これらの図において、クリップ本体は公知のものである。本発明では、前面板とその取り替え機構が新規な点である。
【００１３】
クリップ本体１０は、背面板１１と前面板１２のそれぞれの端部が共通軸１３により開閉可能に支持され、常時、バネ１４により閉鎖方向に付勢されている。ベルトなどの取付孔１５が設けられているものもある。
【００１４】
このクリップ１において、前面板とその取り替え機構を図３、４により説明する。
【００１５】
前面板１２は、金属の基板１６と合成樹脂の表面板１７からなり、取り替え可能なのは表面板１７である。
【００１６】
基板１６は、図３（ｂ）及び図４（ａ）に示すように、正面から見れば長方形で、上端が内側に向かってＬ字型に曲げられている。基板には、表面板の取付用に丸孔１８，１９が上下２個所設けられている。
【００１７】
表面板１７は、基板取付孔１８，１９に対応する位置に２個所突起２０，２１が設けられている。上側の突起２０は２本の分割された円柱状突起で、先端部にそれぞれ反対方向に伸びる矢尻状の抜け止め２０ａを有する。下側突起２１は、円柱状の突起で、下側に一方向に伸びる張り出し部分２１ａを有する。
【００１８】
基板１６と表面板１７を合体させるには、まず、表面板１７を傾けながら、表面板の下側突起２１を基板の下側取付孔１９に挿入する。このとき、表面板１７を傾けることにより、張り出し部分２１ａが先に挿入されるので、抵抗なく挿入することができる。その後、表面板１７を垂直に立てて、表面板１７の上側突起２０を基板の上側取付孔１８に押し込む。板状突起の抜け止め２０ａは基板の取付孔１８の抵抗を受け圧縮されながら進み、挿入が終われば、原形に回復して抜け止めの役割を果たす。取付けが完成すると、図４（ｂ）の状態となる。
【００１９】
基板１６と表面板１７を分離するには、合体時と逆の手順による。すなわち、上側突起２０の係合を指の力により引き剥がし、その後、表面板１７を傾けて、表面板の下側突起２１を基板の下側取付孔１９から抜き取る。
【００２０】
このように、一方向に伸びる張り出し部分を設けたことにより、表面板の取り付け及び分離に方向性が生まれる。本実施例では、クリップを使用するときに通常指の力が加えられる下側からは表面板を引き剥がすことは困難である。
【００２１】
以上の説明で明らかなように、表面板１７を変更するには、古い表面板を取り出し、新しい表面板を取り替える。その目的で、表面板１７は予め複数種類を用意しておく必要がある。
【実施例２】
【００２２】
図５〜７は本発明の第２実施例である。図５（ａ）は、クリップの正面図、（ｂ）は側面図である。
【００２３】
実施例２が、実施例１と異なるのは、基板と表面板の分離の合体と分離が磁石によることである。そのため、実施例２では、基板と表面板の相互に永久磁石が取り付けられている。
【００２４】
基板１６Ａは、図６（ｂ）及び図７（ａ）に示すように、正面から見れば便座のような形で、上端が内側に向かってＬ字型に曲げられている。基板１６Ａ側には永久磁石２３の装着用に丸形の窪み２４が上下２個所に設けられている。
【００２５】
基板１６Ａの永久磁石２３に対応するように、表面板１７Ａには丸形の窪み２５が上下２個所に設けられている。
【００２６】
基板１６Ａと表面板１７Ａが合体した状態を図７（ｂ）に示す。基板の永久磁石は、基板１６Ａ表面からやや突出しており、両者が合体したとき、突出厚みが表面板の窪み２５の中に収容される。
【００２７】
クリップ１Ａを操作するときには、表面板１７Ａには指の力が加えられることが多い。指の力は磁石の磁力よりも強いため、表面板１７Ａが取れてしまうおそれがある。そのため、表面板１７Ａの下端部を基板１６Ａの下端部よりも短くして表面板のみに力が加わらないようにすることが大切である。
【００２８】
実施例２において、その他の部分は実施例１と同様であるので、実施例１の符号に「Ａ」をつけ、その説明を省略する。
【図面の簡単な説明】
【００２９】
【図１】本発明のクリップでヒップパットをパンツに取り付けている状態の斜視図である。
【図２】（ａ）は、クリップの正面図、（ｂ）は側面図である。
【図３】（ａ）は表面板を係合側から見た正面図、（ｂ）は基板を係合側から見た正面図である。
【図４】（ａ）は表面板と基板の断面図、（ｂ）は両者の係合状体を示す断面図である。
【図５】（ａ）は、クリップの正面図、（ｂ）は側面図である。
【図６】（ａ）は表面板を係合側から見た正面図、（ｂ）は基板を係合側から見た正面図である。
【図７】（ａ）は表面板と基板の断面図、（ｂ）は両者の係合状体を示す断面図である。
【符号の説明】
【００３０】
１，１Ａ      クリップ
１０   クリップ本体
１１   背面板
１２   前面板
１３   共通軸
１４   バネ
１５   取付孔
１６，１６Ａ  基板
１７，１７Ａ  表面板
１８   上側取付孔
１９   下側取付孔
２０   上側突起
２１   下側突起
２１ａ 張り出し部分
２３   永久磁石
【図１】
2008206794.tif 000003
【図２】
2008206794.tif 000004
【図３】
2008206794.tif 000005
【図４】
2008206794.tif 000006
【図５】
2008206794.tif 000007
【図６】
2008206794.tif 000008
【図７】
2008206794.tif 000009